(57)【特許請求の範囲】
【請求項１】
地板と、前記地板の裏側に配置された回路基板と、前記地板の表側に配置された回転板と、前記回転板よりも表側に配置された太陽電池と、前記回路基板と前記太陽電池とを導通する導通部材とを備えた太陽電池付時計であって、
前記回路基板は、平面視で前記回転板と重なる位置に端子部を備え、
前記太陽電池は、平面視で前記回転板の外周縁よりも外側の位置に電極部を備え、
前記導通部材は、
前記回路基板の端子部に一端側が圧接される第１のコイルばねと、
前記太陽電池の電極部に一端側が圧接される第２のコイルばねと、
前記第１のコイルばねおよび前記第２のコイルばねの他端側を互いに連結する連結部とを備えて一体に形成した構成である
ことを特徴とする太陽電池付時計。
【請求項２】
請求項１に記載の太陽電池付時計において、
前記導通部材は、前記第１のコイルばねの一端側から他端側に向かう方向と、前記第２のコイルばねの一端側から他端側に向かう方向とが、互いに反対向きに構成され、
前記第１のコイルばねと前記第２のコイルばねとは、コイルの軸方向の長さが同じである
ことを特徴とする太陽電池付時計。
【請求項３】
請求項１または請求項２に記載の太陽電池付時計において、
前記地板は、前記導通部材を取り付ける取付部を有し、
前記取付部は、
側面に開口部を有し、かつ前記地板の裏面に開口して前記第１のコイルばねを嵌め込む嵌込部と、
前記地板の表面から前記嵌込部の側面の開口部に通じる案内部と、
側面に切欠を有し、かつ前記地板の表面に開口して前記第２のコイルばねを設置する設置部とを備え、
前記案内部は、表側から裏側に向かうにつれて前記開口部までの距離が小さくなるように傾斜する傾斜面を有する
ことを特徴とする太陽電池付時計。
【請求項４】
請求項３に記載の太陽電池付時計において、
前記開口部は、前記嵌込部における前記地板の外周縁側に設けられており、
前記地板は、前記連結部よりも前記地板の外周縁側に位置する突起部を備える
ことを特徴とする太陽電池付時計。
【請求項５】
請求項１から請求項４のいずれかに記載の太陽電池付時計において、
前記連結部は、前記第１のコイルばねおよび前記第２のコイルばねの各コイルによる２つの円の共通外接線のうち、平面視で前記地板の外周縁側に位置する共通外接線で連結する形状を有している
ことを特徴とする太陽電池付時計。
【発明の詳細な説明】
【技術分野】
【０００１】
本発明は、太陽電池付時計に関する。
【背景技術】
【０００２】
従来、地板の裏側に回路基板を配置し、この地板の表側に日車等の回転板を配置し、さらにその回転板の表側に太陽電池を配置し、太陽電池と回路基板とを導通部材により導通することで、太陽電池を電源として使用する太陽電池付時計が知られている（例えば、特許文献１参照）。
特許文献１に記載の時計では、導通部材としてコイルばね（太陽電池接続バネ）を使用している。そして、このコイルばねを、平面視で回転板（日板）の外周縁よりも外側の位置に配置し、このコイルばねの両端を太陽電池および回路基板にそれぞれ圧接させることで、太陽電池と回路基板とを導通している。
【先行技術文献】
【特許文献】
【０００３】
【特許文献１】特開２００２−９０４７５号公報
【発明の概要】
【発明が解決しようとする課題】
【０００４】
しかしながら、特許文献１に記載の時計では、回転板を大型化すると、コイルばねと回転板とが干渉してしまう。この干渉を防止するためには、平面視で回転板の外周縁よりも外側の位置にコイルばねを配置できるように回路基板を回転板よりも大きくする必要がある。
したがって、回転板のサイズが異なる複数種類の時計を設計する場合、回転板の大きさに合わせて回路基板のサイズを変更しなければならず、時計の製造コストが高くなる、という問題がある。
【０００５】
本発明の目的は、回転板よりも回路基板が小さい場合でも回路基板と太陽電池とを導通することができる太陽電池付時計を提供することにある。
【課題を解決するための手段】
【０００６】
本発明の太陽電池付時計は、地板と、前記地板の裏側に配置された回路基板と、前記地板の表側に配置された回転板と、前記回転板よりも表側に配置された太陽電池と、前記回路基板と前記太陽電池とを導通する導通部材とを備えた太陽電池付時計であって、前記回路基板は、平面視で前記回転板と重なる位置に端子部を備え、前記太陽電池は、平面視で前記回転板の外周縁よりも外側の位置に電極部を備え、前記導通部材は、前記回路基板の端子部に一端側が圧接される第１のコイルばねと、前記太陽電池の電極部に一端側が圧接される第２のコイルばねと、前記第１のコイルばねおよび前記第２のコイルばねの他端側を互いに連結する連結部とを備えて一体に形成した構成であることを特徴とする。
【０００７】
本発明によれば、回路基板の端子部に第１のコイルばねの一端側が圧接され、太陽電池の電極部に第２のコイルばねの一端側が圧接される。そして、導通部材は、この第１のコイルばねおよび第２のコイルばねと、連結部とを備えて一体に形成した構成であり、連結部は、第１のコイルばねおよび第２のコイルばねの他端側を互いに連結する。このため、連結部によって第１のコイルばねと第２のコイルばねとを平面的に異なる位置に配置することができる。したがって、回路基板の端子部が平面視で回転板と重なる位置にあり、太陽電池の電極部が平面視で回転板の外周縁よりも外側の位置にあっても、導通部材と回転板とが干渉することなく、回路基板と太陽電池とを導通部材によって導通できる。また、回路基板と太陽電池を導通するために、回路基板の端子部が平面視で回転板の外周縁よりも外側に位置するように新たに回路基板を設計する必要がないことから、太陽電池付時計の製造コストが高くなることを防止できる。
【０００８】
本発明の太陽電池付時計では、前記導通部材は、前記第１のコイルばねの一端側から他端側に向かう方向と、前記第２のコイルばねの一端側から他端側に向かう方向とが、互いに反対向きに構成され、前記第１のコイルばねと前記第２のコイルばねとは、コイルの軸方向の長さが同じであることが好ましい。
本発明によれば、第１のコイルばねの一端側から他端側に向かう方向と、第２のコイルばねの一端側から他端側に向かう方向とを互いに反対向きに構成し、各コイルばねのコイルの軸方向の長さが同じである。このため、いずれか一方のコイルばねの一端側を太陽電池の電極部に圧接させ、他方のコイルばねの一端側を回路基板の端子部に圧接させることで、回路基板と太陽電池とを導通させることができる。これにより、地板に導通部材を取り付ける際に、各コイルばねの向きを気にする必要がなくなり、太陽電池付時計の組立性を向上できる。
【０００９】
本発明の太陽電池付時計では、前記地板は、前記導通部材を取り付ける取付部を有し、前記取付部は、側面に開口部を有し、かつ前記地板の裏面に開口して前記第１のコイルばねを嵌め込む嵌込部と、前記地板の表面から前記嵌込部の側面の開口部に通じる案内部と、側面に切欠を有し、かつ前記地板の表面に開口して前記第２のコイルばねを設置する設置部とを備え、前記案内部は、表側から裏側に向かうにつれて前記開口部までの距離が小さくなるように傾斜する傾斜面を有することが好ましい。
本発明によれば、取付部に導通部材を取り付ける際、第１のコイルばねは、地板の表側から案内部および開口部を介して嵌込部に嵌め込まれる。また、第２のコイルばねは、地板の表側から設置部に設置される。なお、連結部は、嵌込部の開口部と、設置部の切欠を通して配置される。そして、第１のコイルばねを嵌込部に嵌め込む際に、第１のコイルばねは、案内部が有する傾斜面によって嵌込部まで案内される。このため、第１のコイルばねを嵌込部に簡単に嵌め込むことができ、導通部材を地板に容易に取り付けることができる。
【００１０】
本発明の太陽電池付時計では、前記開口部は、前記嵌込部における前記地板の外周縁側に設けられており、前記地板は、前記連結部よりも前記地板の外周縁側に位置する突起部を備えることが好ましい。
本発明によれば、嵌込部における前記地板の外周縁側に開口部が設けられており、嵌込部には、地板の外周縁側から中心側に向かって第１のコイルばねが嵌め込まれる。このことから、第１のコイルばねは、落下等の衝撃によって地板の外周縁側に向かって外れる可能性がある。しかしながら、地板が連結部よりも外周縁側の位置に突起部を備えているので、嵌込部から第１のコイルばねが外れそうになった場合であっても突起部によって連結部が押さえられるので、嵌込部から第１のコイルばねが外れることを防止でき、結果として導通部材が地板から外れることを防止できる。
【００１１】
本発明の太陽電池付時計では、前記連結部は、前記第１のコイルばねおよび前記第２のコイルばねの各コイルによる２つの円の共通外接線のうち、平面視で前記地板の外周縁側に位置する共通外接線で連結する形状を有していることが好ましい。
本発明によれば、連結部が地板の外周縁側に位置する共通外接線で連結する形状を有しているので、連結部を地板の中心側に位置する共通外接線で連結する形状とした場合と比較して、導通部材の平面視での回転板と重なる部分を少なくできる。このことから、落下等の衝撃によって導通部材が地板から外れたような場合であっても、導通部材が回転板と干渉することを防止できる。
【図面の簡単な説明】
【００１２】
【図１】本発明の一実施形態における太陽電池付時計の概略構成を示す分解斜視図。
【図２】前記実施形態における回路基板、太陽電池および導通部材の構成を示す裏面図。
【図３】前記実施形態における導通部材の構成を示す断面図。
【図４】前記実施形態における地板、日車および導通部材の構成を示す平面図。
【図５】前記実施形態における嵌込部および案内部の構成を示す断面図。
【図６】前記実施形態における導通部材を取り付けた状態を示す斜視図。
【図７】前記実施形態における日車を取り付けた状態を示す斜視図。
【発明を実施するための形態】
【００１３】
以下、本発明の実施の一形態を図面に基づいて説明する。
〔太陽電池付時計の構成〕
本実施形態における太陽電池付時計１は、利用者が腕に装着する腕時計である。
この太陽電池付時計１は、図１に示すように、地板２と、回路基板３と、回転板としての日車４と、太陽電池５と、導通部材６とを備えている。なお、ここでは図示を省略するが、各部材２〜６は、利用者が腕に装着するためのバンドが取り付けられた外装ケースに収容される。
【００１４】
[地板の構成]
地板２は、非導電性のプラスチック材料を射出成形することで円板状に形成される。この地板２は、外周縁の近傍に導通部材６を取り付ける取付部２Ａを有している。なお、これら導通部材６および取付部２Ａについては、後述する。また、地板２および外装ケース等に対する回路基板３、日車４および太陽電池５の組み込み構造については、一般的な構造であるため、ここでは説明を省略する。
【００１５】
[回路基板の構成]
図２は、組み込み後の回路基板３、太陽電池５および導通部材６を太陽電池付時計１の裏側から見た図である。
回路基板３は、太陽電池付時計１の動作を制御する制御回路等を構成する電気、電子部品およびプリント基板等により構成されている。この回路基板３は、地板２の裏側に取り付けられる。
【００１６】
回路基板３は、表側（地板２と対向する側）における端縁の近傍に端子部３１を備えている。そして、回路基板３は、図１に示すように、この端子部３１が平面視で地板２の外周縁のやや内側の位置と重なるように地板２に取り付けられる。また、この端子部３１は、平面視で後述する日車４と重なる位置に設けられる（図３参照）。
この端子部３１は、回路基板３に外部から電源を供給するためのものである。具体的に、端子部３１は、正電極に接続するプラス端子および負電極に接続するマイナス端子の２つで構成されている。
【００１７】
[日車の構成]
日車４は、日付を表示するためのものであり、図１に示すように、中央部に取り付け用の開口が設けられた円板状に形成されている。具体的に、日車４は、非導電性のプラスチック材料で構成されている。
この日車４には、日表示としての１〜３１の数字が印字される。このように日車４は、３１日分の印刷が必要なため、径が小さいと１文字が小さくなり、日付が視認しにくくなる。そこで、日車４の直径は、地板２の直径よりやや小さい程度に大きく構成されている。
この日車４は、ステッピングモーター（図示略）により、中央部を中心として回転するように、地板２の表側に取り付けられる。なお、この日車４等を駆動するムーブメントは、腕時計の一般的な構成であるため、具体的な説明は省略する。
【００１８】
[太陽電池の構成]
太陽電池５は、回路基板３の電気、電子回路等を駆動する駆動電源である。この太陽電池５は、図１に示すように、円板状に形成され、日車４に印刷された数字（日付）を視認するための窓部５１と、ソーラーセル５２とを有している。この太陽電池５の直径は、地板２の直径と略同じか、地板２の直径よりもやや大きい程度に構成されている。なお、この太陽電池５は、日車４よりも表側に配置される。
【００１９】
この太陽電池５は、図２に示すように、裏側（地板２と対向する側）における端縁の近傍に電極部５３を備えている。この電極部５３は、正電極および負電極の２つで構成されている。電極部５３は、平面視で回路基板３の端子部３１と重なる太陽電池５の内側の位置と、回路基板３の端子部３１と重ならない太陽電池５の外側の位置とを結ぶように延設されている。また、この電極部５３は、平面視で日車４と重なる位置から、日車４の外周縁よりも外側の位置（日車４と重ならない位置）に跨って形成されている。
【００２０】
[導通部材の構成]
図３および図４は、組み込み後の導通部材６の構成を示す図である。具体的に、図３は、導通部材６の近傍を側面から見た断面図であり、図４は、地板２、日車４および導通部材６を表側から見た平面図である。
導通部材６は、回路基板３と太陽電池５とを導通するための部材である。
この導通部材６は、金属等の導電材料によって構成されており、図１〜図４に示すように、第１のコイルばね６１と、第２のコイルばね６２と、連結部６３とを備えて一体に形成した構成とされている。
【００２１】
第１のコイルばね６１、第２のコイルばね６２および連結部６３は、１本の同径の線材によって構成されている。第１のコイルばね６１および第２のコイルばね６２は、ばねの軸線が直線状の圧縮コイルばねで構成されている。また、第１のコイルばね６１と第２のコイルばね６２とは、同一のばね形状で構成されている。具体的に、第１のコイルばね６１と第２のコイルばね６２とは、コイル径、巻数およびコイルの高さ（軸線方向の長さ）等が全て同一の構造となっている。
【００２２】
連結部６３は、導通部材６が日車４と干渉することを防止するためのものである。この連結部６３は、第１のコイルばね６１の他端側の端部６１Ｂと、第２のコイルばね６２の他端側の端部６２Ｂとを互いに連結している。
この連結部６３は、図４に示すように、第１のコイルばね６１および第２のコイルばね６２を、第１のコイルばね６１および第２のコイルばね６２の各コイルによる２つの円の共通外接線のうち、平面視で地板２の外周縁側に位置する共通外接線で連結する形状を有している。また、この連結部６３は、図３に示すように、各コイルばね６１，６２の軸線に対して直交するように設けられている。
【００２３】
なお、導通部材６は、第１のコイルばね６１と第２のコイルばね６２の位置を入れ替えるように回転しても、回転の前後における同位置の形状が同一の構造となっている。詳述すると、導通部材６は、第１のコイルばね６１のばね軸と、第２のコイルばね６２のばね軸とが、互いに平行する形状に構成されている。そして、導通部材６は、第１のコイルばね６１の端部６１Ａから端部６１Ｂに向かう方向と、第２のコイルばね６２のばね軸における第２のコイルばね６２の端部６２Ａから端部６２Ｂに向かう方向とが、互いに反対向きに構成されている。換言すると、導通部材６は、連結部６３の長手方向の中心位置で、連結部６３および各コイルばね６１，６２の軸線に直交する中心線を中心とした１８０度回転対称の形状で構成されている。
このように構成された導通部材６は、前述した地板２の取付部２Ａに取り付けられる。
【００２４】
[導通部材の取付部の構成]
以下、地板２の取付部２Ａの構成について説明する。
取付部２Ａは、地板２の表面および裏面に凹凸を設けることで形成されている。この取付部２Ａは、図１に示すように、嵌込部２１と、案内部２２と、突起部２３と、設置部２４とを備えている。
【００２５】
図５は、嵌込部２１および案内部２２の構成を示す断面図である。
嵌込部２１は、第１のコイルばね６１を嵌め込む部分である。この嵌込部２１は、地板２の裏面に凹状に形成されている。詳述すると、嵌込部２１は、地板２の裏側が開口し、表側が閉塞している。なお、この嵌込部２１の内壁の高さは、第１のコイルばね６１のコイルの高さ（圧縮されていない状態の高さ）よりも小さく構成されている。この嵌込部２１における地板２の外周縁側に位置する側面には、嵌込部２１に第１のコイルばね６１を嵌め込んで連結部６３を通すための開口部２１Ａが設けられている。
【００２６】
案内部２２は、開口部２１Ａを地板２の表面に通じさせる部分である。この案内部２２は、嵌込部２１における開口部２１Ａが設けられた地板２の外周縁側に設けられている。また、この案内部２２は、傾斜面２２Ａを有している。
傾斜面２２Ａは、図５に示すように、導通部材６を地板２に取り付ける際に、第１のコイルばね６１を嵌込部２１の開口部２１Ａに案内するためのものである。なお、図５中の実線で示した導通部材６は、取り付け途中での第１のコイルばね６１を示し、二点鎖線は、取り付け後の第１のコイルばね６１を示している。
この傾斜面２２Ａは、表側から裏側に向かうにつれて開口部２１Ａまでの距離Ｌが小さくなるように傾斜している。この傾斜面２２Ａと地板２との最小開口寸法Ｌ１は、圧縮状態の第１のコイルばね６１を挿通できる寸法とされている。
【００２７】
突起部２３は、導通部材６が地板２から外れることを防止するためのものである。この突起部２３は、図１に示すように、嵌込部２１および案内部２２と、後述する設置部２４との間における地板２の表面に設けられている。なお、この突起部２３は、図４に示すように、取付部２Ａへの導通部材６の取り付け後において、連結部６３よりも地板２の外周縁側の位置に設けられている。具体的に、突起部２３は、取り付け後の連結部６３に沿うように、連結部６３の直径と略同じ高さに形成されている。
【００２８】
設置部２４は、第２のコイルばね６２を設置する部分である。この設置部２４は、地板２の表面に凹状に形成されている。詳述すると、設置部２４は、地板２の表側が開口し、裏側が閉塞している。なお、この設置部２４の内壁の高さは、第２のコイルばね６２のコイルの高さ（圧縮されていない状態の高さ）よりも小さく構成されている。また、設置部２４の側面には、図１に示すように、導通部材６を取り付けた際に、連結部６３が通る切欠２４Ａが形成されている。
【００２９】
この切欠２４Ａは、幅寸法が第２のコイルばね６２の直径よりも小さく、設置部２４に設置した第２のコイルばね６２が切欠２４Ａを通って設置部２４から外れないように構成されている。また、切欠２４Ａは、第２のコイルばね６２を設置部２４に設置した状態の導通部材６を、第２のコイルばね６２を中心として第１のコイルばね６１側が案内部２２から嵌込部２１の範囲で回転可能な幅寸法に構成されている。
なお、取付部２Ａに取り付けられた導通部材６は、第２のコイルばね６２を中心に第１のコイルばね６１が嵌込部２１から案内部２２側へ回転しようとすると、連結部６３が突起部２３に当接する。したがって、この場合、導通部材６は、その回転が規制され、嵌込部２１から第１のコイルばね６１が外れることが防止される。
【００３０】
[太陽電池付時計の組み立て]
図６および図７は、太陽電池付時計１の組み立てを説明するための図である。
図６に示すように、先ず、地板２の取付部２Ａに、導通部材６を取り付ける。この際、第１のコイルばね６１よりも先に第２のコイルばね６２を設置部２４に設置する。すなわち、地板２の表側から第２のコイルばね６２を、図１に示すように、端部６２Ｂが設置部２４に当接する向きで設置部２４に設置される。
【００３１】
次に、第１のコイルばね６１を、図５に示したように、案内部２２の傾斜面２２Ａに沿って地板２の外側から内側に向けて押し込み、第１のコイルばね６１を嵌込部２１に嵌め込む。この際、連結部６３が突起部２３を乗り越えて、平面視で連結部６３よりも地板２の外周端側の位置に突起部２３が配置されるようにする。
これにより、導通部材６は、第１のコイルばね６１の端部６１Ａが地板２の裏側を向き、第２のコイルばね６２の端部６２Ａが表側を向くように取付部２Ａに取り付けられる。なお、第１のコイルばね６１は、圧縮されていない状態では、端部６１Ａが地板２の裏面から突出する。同様に、第２のコイルばね６２は、圧縮されていない状態では、端部６２Ａが地板２の表面から突出する。
【００３２】
地板２に導通部材６を取り付け後、図７に示すように、地板２の表側に日車４を取り付け、さらに、日車４の表側に太陽電池５を重ね、日車４と太陽電池５は断面的に干渉しないように取り付ける。また、地板２の裏側に回路基板３を取り付ける。
そして、各部材２〜６を太陽電池付時計１の外装ケースに収容することで、太陽電池付時計１を組み立てる。
【００３３】
この組み立て後の導通部材６は、図３に示したように、第１のコイルばね６１が平面視で回路基板３の端子部３１と重なり、第２のコイルばね６２が平面視で太陽電池５の電極部５３と重なる位置に取り付けられる。また、導通部材６は、第１のコイルばね６１が平面視で日車４と重なり、第２のコイルばね６２が平面視で日車４の外周縁よりも外側（日車４と平面視で重ならない位置）の位置となるように取り付けられる。
なお、導通部材６は、第１のコイルばね６１の端部６１Ａが回路基板３の端子部３１に圧接され、第２のコイルばね６２の端部６２Ａが太陽電池５の電極部５３に圧接される。これにより、回路基板３と太陽電池５とが導通部材６を介して導通する。
【００３４】
このような本発明によれば、次のような作用効果を奏する。
回路基板３の端子部３１に第１のコイルばね６１の端部６１Ａが圧接され、太陽電池５の電極部５３に第２のコイルばね６２の端部６２Ａが圧接される。そして、導通部材６は、この第１のコイルばね６１および第２のコイルばね６２と、連結部６３とを備えて一体に形成した構成であり、連結部６３は、第１のコイルばね６１および第２のコイルばね６２の他端側を互いに連結する。このため、連結部６３によって第１のコイルばね６１と第２のコイルばね６２とを平面的に異なる位置に配置することができる。したがって、回路基板３の端子部３１が平面視で日車４と重なる位置にあり、太陽電池５の電極部５３が平面視で日車４の外周縁よりも外側の位置にあっても、導通部材６と日車４とが干渉することなく、回路基板３と太陽電池５とを導通部材６によって導通できる。また、回路基板３と太陽電池５を導通するために、回路基板３の端子部３１が平面視で日車４の外周縁よりも外側に位置するように、新たに回路基板３を設計する必要がないことから、太陽電池付時計１の製造コストが高くなることを防止できる。
【００３５】
導通部材６が、第１のコイルばね６１の端部６１Ａから端部６１Ｂに向かう方向と、第２のコイルばね６２の端部６２Ａから端部６２Ｂに向かう方向とを互いに反対向きに構成し、各コイルばね６１，６２の各コイルの軸方向の長さを同じとしている。このため、第１のコイルばね６１の端部６１Ａおよび第２のコイルばね６２の端部６２Ａのいずれか一方を太陽電池５の電極部５３に圧接させ、他方を回路基板３の端子部３１に圧接させることで、回路基板３と太陽電池５とを導通させることができる。これにより、地板２に導通部材６を取り付ける際に、各コイルばね６１，６２の向きを気にする必要がなくなり、太陽電池付時計１の組立性を向上できる。また、第１のコイルばね６１と第２のコイルばね６２とは、コイル径、巻数およびコイルの高さ等が全て同一の構造であるため、各コイルばね６１，６２により生じる応力も導通部材６の取り付け向きに関わらず同一とすることができる。
【００３６】
取付部２Ａに導通部材６を取り付ける際、第１のコイルばね６１は、地板２の表側から案内部２２および開口部２１Ａを介して嵌込部２１に嵌め込まれる。また、第２のコイルばね６２は、地板２の表側から設置部２４に設置される。なお、連結部６３は、嵌込部２１の開口部２１Ａと、設置部２４の切欠２４Ａを通して配置される。そして、第１のコイルばね６１を嵌込部２１に嵌め込む際に、第１のコイルばね６１は、案内部２２が有する傾斜面２２Ａによって嵌込部２１まで案内される。このため、第１のコイルばね６１を嵌込部２１に簡単に嵌め込むことができ、導通部材６を地板２に容易に取り付けることができる。
また、回路基板３は、地板２の裏側に取り付けられ、導通部材６は、地板２の表側から取付部２Ａに取り付けられる。このため、回路基板３を地板２に取り付けた後であっても、導通部材６を容易に組み込むことができる。
【００３７】
嵌込部２１における地板２の外周縁側に開口部２１Ａが設けられており、嵌込部２１には、平面視で地板２の外周縁側から中心側に向かって第１のコイルばね６１が嵌め込まれる。このことから、第１のコイルばね６１は、落下等の衝撃によって地板２の外周縁側に向かって外れる可能性がある。しかしながら、地板２が連結部６３よりも外周縁側の位置に突起部２３を備えているので、嵌込部２１から第１のコイルばね６１が外れそうになった場合であっても突起部２３によって連結部６３が押さえられるので、嵌込部２１から第１のコイルばね６１が外れることを防止でき、結果として導通部材６が地板２から外れることを防止できる。
【００３８】
連結部６３が地板２の外周縁側に位置する共通外接線で連結する形状を有しているので、連結部６３を地板２の中心側に位置する共通外接線で連結する形状とした場合と比較して、導通部材６の平面視での日車４と重なる部分を少なくできる。このことから、落下等の衝撃によって導通部材６が地板２から外れたような場合であっても、導通部材６が日車４と干渉することを防止できる。
【００３９】
第１のコイルばね６１の端部６１Ｂは、嵌込部２１に当接し、第２のコイルばね６２の端部６２Ｂは、設置部２４に当接するため、回路基板３と太陽電池５とを導通部材６を介して圧接させるのに十分な応力を確保することができる。
太陽電池５は、平面視で日車４と重なる位置から、日車４の外周縁よりも外側の位置に跨って形成された電極部５３を備えている。このため、太陽電池５は、他の小型の日車を採用し、ばね軸が直線状の１本のコイルばねで回路基板と太陽電池とを導通する太陽電池付時計の太陽電池としても採用できる。
【００４０】
なお、本発明は前述の実施形態に限定されるものではなく、本発明の目的を達成できる範囲での変形、改良等は本発明に含まれるものである。
例えば、前記実施形態では、回転板として日車４を例示したが、回転板は、これに限らず、曜日を表示するための曜車等であってもよい。また、回転板は、日車および曜車等、複数の構成部品で構成されていてもよい。前記実施形態では、電極部が太陽電池５の裏面に形成されたものを例示したが、太陽電池５はこの構成に限らず、太陽電池５の表面に形成された電極部に、フレキシブル基板を接続させて、このフレキシブル基板を太陽電池５の裏面に配置して太陽電池５の裏面電極部とした構成であってもよい。
また、前記実施形態では、本発明に係る時計として、腕時計タイプの時計を例示して説明したが、これに限らず、壁掛け時計等、他のタイプの時計であってもよい。
【符号の説明】
【００４１】
１…太陽電池付時計、２…地板、２Ａ…取付部、３…回路基板、４…日車（回転板）、５…太陽電池、６…導通部材、２１…嵌込部、２１Ａ…開口部、２２…案内部、２２Ａ…傾斜面、２３…突起部、２４…設置部、２４Ａ…切欠、３１…端子部、５３…電極部、６１…第１のコイルばね、６２…第２のコイルばね、６３…連結部。
【図１】
0005500040.tif 000002
【図２】
0005500040.tif 000003
【図３】
0005500040.tif 000004
【図４】
0005500040.tif 000005
【図５】
0005500040.tif 000006
【図６】
0005500040.tif 000007
【図７】
0005500040.tif 000008